(57)【要約】【課題】  小型で製造コストの低いアナログ／ディジタルデュアルフォーマットＴＶ受信機を提供する。【解決手段】  このテレビジョン（ＴＶ）受信機は周波数変換回路、Ａ−Ｄ変換回路、ディジタルシグナルプロセッサ（ＤＳＰ）および信号出力回路を備える。周波数変換回路はいくつかのＴＶ信号フォーマットの一つで入力ＲＦ信号を受信してその入力ＲＦ信号を中間周波数（ＩＦ）信号に変換する。Ａ−Ｄ変換回路はそのＩＦ信号をディジタル化ＩＦ信号に変換する。ＤＳＰはそのディジタル化ＩＦ信号を入力ＲＦ信号のＴＶ信号フォーマットに従って信号処理して、入力ＲＦ信号中の情報を表すディジタル出力信号を生ずる。信号出力回路はそのディジタル出力信号を受けてそれらディジタル出力信号対応の一つ以上の出力信号を生ずる。信号出力回路は、アナログＴＶ信号フォーマット、ディジタルＴＶ信号フォーマットまたはアナログＴＶ／ディジタルＴＶ両方の信号フォーマットにそれぞれ対応する出力信号を生ずる。【選択図】図１
2008505535.tif 000002
【特許請求の範囲】
【請求項１】
複数のテレビジョン信号フォーマットの一つで符号化した情報を含む入力ＲＦ信号を受けてその入力ＲＦ信号を中間周波数（ＩＦ）の中間周波数（ＩＦ）信号に変換する周波数変換回路と、
前記中間周波数信号をサンプリングしてディジタル化信号に変換するＡ−Ｄ変換器と、
前記ディジタル化した中間周波数信号を前記入力ＲＦ信号のテレビジョン信号フォーマットに従って信号処理するシグナルプロセッサであって、前記入力ＲＦ信号に含まれる前記情報を表すディジタル出力信号を生ずるシグナルプロセッサと、
前記シグナルプロセッサからの前記ディジタル出力信号を受けてそのディジタル出力信号に対応する一つ以上の出力信号を生ずる信号出力回路と
を含むテレビジョン受信機。
【請求項２】
前記複数のテレビジョン信号フォーマットがアナログテレビジョン信号フォーマットおよびディジタルテレビジョン信号フォーマットを含む請求項１記載のテレビジョン受信機。
【請求項３】
モノリシック集積回路の形に構成した請求項１記載のテレビジョン受信機。
【請求項４】
前記信号出力回路が、アナログテレビジョン信号フォーマットに対応するビデオベースバンド信号である第１の出力信号と前記アナログテレビジョン信号フォーマットに対応するオーディオベースバンド信号である第２の出力信号とを供給する請求項１記載のテレビジョン受信機。
【請求項５】
前記ビデオベースバンド信号を復号化して、前記アナログテレビジョン信号フォーマットに対応するビデオ信号を生ずる第１のデコーダ回路と、
前記オーディオベースバンド信号を復号化して、前記アナログテレビジョン信号フォーマットに対応するオーディオ信号を生ずる第２のデコーダ回路と
をさらに含む請求項４記載のテレビジョン受信機。
【請求項６】
前記第１のデコーダ回路がＰＡＬ／ＳＥＣＡＭ／ＮＴＳＣデコーダを含む請求項５記載のテレビジョン受信機。
【請求項７】
前記信号出力回路が、前記ディジタル出力信号に対応する第１および第２の出力信号であって、ディジタルテレビジョン信号フォーマットに対応する差動出力信号である第１および第２の出力信号を生ずる請求項１記載のテレビジョン受信機。
【請求項８】
前記入力ＲＦ信号の前記テレビジョン信号フォーマットに対応する前記第１および第２の出力信号を復調し、その入力ＲＦ信号の前記信号フォーマットに対応するビデオベースバンド信号およびオーディオベースバンド信号を生ずる復調回路と、
前記ビデオベースバンド信号および前記オーディオベースバンド信号を復号化して前記ディジタルテレビジョン信号フォーマットに対応するビデオ信号およびオーディオ信号を生ずるデコーダ回路と
をさらに含む請求項７記載のテレビジョン受信機。
【請求項９】
前記ビデオベースバンド信号および前記オーディオベースバンド信号がＭＰＥＧデータストリームを含み、前記デコーダ回路がＭＰＥＧデコーダ回路を含む請求項８記載のテレビジョン受信機。
【請求項１０】
前記周波数変換回路から前記中間周波数信号を受けてフィルタ処理ずみの中間周波数信号を生ずる帯域フィルタと、
前記フィルタ処理ずみの中間周波数信号を受けて増幅した前記フィルタ処理ずみの中間周波数信号を生ずる前記Ａ−Ｄ変換器と
をさらに含む請求項１記載のテレビジョン受信機。
【請求項１１】
前記信号出力回路がアナログ信号フォーマットまたはディジタル信号フォーマットで出力信号を生ずる請求項１記載のテレビジョン受信機。
【請求項１２】
前記信号出力回路が、シングルエンデッド出力端子または差動出力端子を各々が含む一つ以上の出力端子を含む請求項１記載のテレビジョン受信機。
【請求項１３】
前記信号出力回路が、
前記シグナルプロセッサからのディジタル出力信号を受けてそれらディジタル出力信号をアナログ出力信号に変換する第１のＤ−Ａ変換器と、
前記第１のＤ−Ａ変換器からの前記アナログ出力信号を第１の出力端子に送出する第１のドライバ回路と、
前記第１のＤ−Ａ変換器からの前記アナログ出力信号を第２の出力端子に送出する第２のドライバ回路と、
前記シグナルプロセッサからのオーディオ情報対応のディジタル出力信号を受けてそれらディジタル出力信号をアナログ出力信号に変換する第２のＤ−Ａ変換器と、
前記第２のＤ−Ａ変換器からの前記アナログ出力信号を第３の出力端子に送出する第３のドライバ回路と
を含み、
前記入力ＲＦ信号に含まれるビデオ情報およびオーディオ情報を表す信号を前記第１および第２の出力端子に供給し、前記入力ＲＦ信号に含まれるオーディオ情報を表す信号を前記第３の出力端子に供給する
請求項１記載のテレビジョン受信機。
【請求項１４】
前記第１のドライバ回路がアナログテレビジョン信号フォーマット対応のアナログ出力信号、すなわちビデオベースバンド信号であるアナログ出力信号を送出するシングルエンデッドドライバ回路を含み、前記第３のドライバ回路が前記アナログテレビジョン信号フォーマット対応のアナログ出力信号、すなわちオーディオベースバンド信号であるアナログ出力信号を送出するシングルエンデッドドライバ回路を含む請求項１３記載のテレビジョン受信機。
【請求項１５】
前記第２のドライバ回路がディジタルテレビジョン信号フォーマット対応のアナログ出力信号、すなわちＤＴＶ低周波ＩＦ信号であるアナログ出力信号を送出する差動出力ドライバ回路を含み、前記第２の出力端子が第１の差動出力端子および第２の差動出力端子を含む請求項１３記載のテレビジョン受信機。
【請求項１６】
前記信号出力回路が、
前記第１のＤ−Ａ変換器と前記第１および第２のドライバ回路との間に接続された低域フィルタ
をさらに含む請求項１３記載のテレビジョン受信機。
【請求項１７】
前記信号出力回路が、
前記第２のＤ−Ａ変換器と前記第３のドライバ回路との間に接続された低域フィルタ
をさらに含む請求項１３記載のテレビジョン受信機。
【請求項１８】
前記信号出力回路が、
前記シグナルプロセッサからのディジタル出力信号を受けてそれらディジタル出力信号をアナログ出力信号に変換する第１のＤ−Ａ変換器と、
前記第１のＤ−Ａ変換器からの前記アナログ出力信号を第１の出力端子に送出する第１のドライバ回路と、
前記第１のＤ−Ａ変換器からの前記アナログ出力信号を送出する第２のドライバ回路であって、前記第１の出力端子に接続した第１の差動出力端子および第２の出力端子に接続した第２の差動出力端子を有する差動出力ドライバ回路を含む第２のドライバ回路と、
前記シグナルプロセッサからのディジタル出力信号を受けてそれらディジタル出力信号をアナログ出力信号に変換する第２のＤ−Ａ変換器と、
前記第２のＤ−Ａ変換器からの前記アナログ出力信号を第２の出力端子に送出する第３のドライバ回路と
を含み、
前記入力ＲＦ信号がディジタルテレビジョン信号フォーマットを備える場合に前記入力ＲＦ信号に含まれるビデオ情報およびオーディオ情報を表す差動出力信号を前記第１および第２の出力端子に供給し、前記入力ＲＦ信号がアナログテレビジョン信号フォーマットを備える場合に前記入力ＲＦ信号に含まれるビデオ情報を前記第１の出力端子に、前記入力ＲＦ信号に含まれるオーディオ情報を表す信号を前記第２の出力端子にそれぞれ供給する
請求項１記載のテレビジョン受信機。
【請求項１９】
前記信号出力回路が、
前記第１のＤ−Ａ変換器と、前記第１および第２のドライバ回路との間に接続された低域フィルタ
をさらに含む請求項１８記載のテレビジョン受信機。
【請求項２０】
前記信号出力回路が、
前記シグナルプロセッサからの前記ディジタル出力信号を受けてそのディジタル出力信号をシリアルディジタルデータストリームに変換する第１のシリアル化回路と、
前記第１のシリアル化回路からの前記シリアルディジタルデータストリームを第１の出力端子および第２の出力端子に送出する差動出力ドライバを含む第１のドライバ回路と、
前記シグナルプロセッサからのオーディオ情報対応のディジタル出力信号を受けてそれらディジタル出力信号をアナログ出力信号に変換する第１のＤ−Ａ変換器と、
前記第１のＤ−Ａ変換器からの前記アナログ出力信号を第３の出力端子に送出する第２のドライバ回路と
を含み、
前記入力ＲＦ信号がディジタルテレビジョン信号フォーマットを備える場合に前記入力ＲＦ信号に含まれるビデオ情報およびオーディオ情報を表す差動出力信号を前記第１および第２の出力端子に供給し、前記入力ＲＦ信号がアナログテレビジョン信号フォーマットを備える場合にビデオ情報を表す差動出力信号をそれら第１および第２の出力端子に供給し、前記入力ＲＦ信号がアナログテレビジョン信号フォーマットを備える場合に前記入力ＲＦ信号に含まれるオーディオ情報を表す信号を前記第３の出力端子に供給する
請求項１記載のテレビジョン受信機。
【請求項２１】
前記信号出力回路の前記第１，第２および第３の出力端子が復調器−デコーダ回路、すなわち前記シリアルディジタルデータストリームがディジタルテレビジョン信号フォーマットに対応している場合はそのシリアルディジタルデータストリームを復調し、前記シリアルディジタルデータストリームがアナログテレビジョン信号フォーマットに対応している場合はそのシリアルディジタルデータストリームをデコードする復調器−デコーダ回路に接続されている請求項２０記載のテレビジョン受信機。
【請求項２２】
前記信号出力回路が、
前記シグナルプロセッサからの前記ディジタル出力信号を受けてそれらディジタル出力信号をアナログ出力信号に変換する第２のＤ−Ａ変換器と、
前記第２のＤ−Ａ変換器からの前記アナログ出力信号を第４の出力端子に送出する第３のドライバ回路と
を含み、
前記入力ＲＦ信号がアナログテレビジョン信号フォーマットを備える場合に前記入力ＲＦ信号に含まれるビデオ情報を表す信号を第４の出力端子に供給する
請求項２０記載のテレビジョン受信機。
【請求項２３】
前記信号出力回路が、
前記シグナルプロセッサからの前記ディジタル出力信号を受けてそれらディジタル出力信号をシリアルディジタルデータストリームに変換する第２のシリアル化回路と、
前記第２のシリアル化回路からの前記シリアルディジタルデータストリームを第４の出力端子および第５の出力端子に送出する差動出力ドライバを含む第３のドライバ回路と
をさらに含み、
前記第１および第２のドライバ回路がディジタルテレビジョン信号フォーマットに対応する前記シリアルディジタルデータストリームを送出し、前記第４および第５のドライバ回路がアナログテレビジョン信号フォーマットに対応する前記シリアルディジタルデータストリームを送出する
請求項２０記載のテレビジョン受信機。
【請求項２４】
前記シグナルプロセッサが、前記入力ＲＦ信号のフォーマットの各々が対応する有限インパルス応答をそれぞれ有する複数の有限インパルス応答フィルタの一つを前記ディジタル化中間周波数信号に適用する請求項１記載のテレビジョン受信機。
【請求項２５】
前記複数の有限インパルス応答フィルタ特性をメモリに蓄積し、前記シグナルプロセッサがそのメモリにアクセスして前記有限インパルス応答フィルタ特性の一つを読み出す請求項２４記載のテレビジョン受信機。
【請求項２６】
前記シグナルプロセッサが、前記有限インパルス応答フィルタ特性の実数部を処理する第１の演算ユニットと、前記有限インパルス応答フィルタ特性の虚数部を処理する第２の演算ユニットとを含む請求項２４記載のテレビジョン受信機。
【請求項２７】
前記シグナルプロセッサに接続され、前記入力ＲＦ信号のフォーマットを表す選択信号を発生するフォーマット／技術標準選択回路をさらに含み、その選択信号に応答して前記シグナルプロセッサが前記有限インパルス応答フィルタ特性を選択する請求項２４記載のテレビジョン受信機。
【請求項２８】
前記フォーマット／技術標準選択回路がユーザからの入力信号に応答して前記選択信号を生ずる請求項２７記載のテレビジョン受信機。
【請求項２９】
前記フォーマット／技術標準選択回路が前記入力ＲＦ信号のフォーマットの一つを特定する搬送波の検出により前記選択信号を生ずる請求項２７記載のテレビジョン受信機。
【請求項３０】
前記入力ＲＦ信号が、地上波放送からのＲＦ信号、衛星放送からのＲＦ信号、およびケーブル送信からのＲＦ信号を含む請求項１記載のテレビジョン受信機。
【請求項３１】
複数のテレビジョン信号フォーマットの一つに情報を符号化して構成される入力ＲＦ信号を受信する過程と、
前記入力ＲＦ信号を中間周波数の中間周波数信号に変換する過程と、
前記中間周波数信号をディジタル化する過程と、
前記ディジタル化した中間周波数信号を前記一つのテレビジョン信号フォーマットに従って信号処理し、前記入力ＲＦ信号に含まれる情報を表すディジタル出力信号を生ずる過程と、
前記ディジタル出力信号に対応する一つ以上の出力信号を一つ以上の出力端子に供給する過程と
を含み前記入力ＲＦ信号を受信する方法。
【請求項３２】
前記複数のテレビジョン信号フォーマットがアナログテレビジョン信号フォーマットおよびディジタルテレビジョン信号フォーマットを含む請求項３１記載の方法。
【請求項３３】
前記ディジタル化した中間周波数信号を信号処理する過程を、前記入力ＲＦ信号のフォーマットを表す選択信号に応答して行う請求項３１記載の方法。
【請求項３４】
前記入力ＲＦ信号のフォーマットを特定する前記入力ＲＦ信号の中の搬送波信号の検出により前記選択信号を生ずる過程
をさらに含む請求項３３記載の方法。
【発明の詳細な説明】
【技術分野】
【０００１】
この発明はテレビジョン信号受信機に関し、より詳しくいうと、この発明は複数の技術標準に準拠したアナログテレビジョン信号およびディジタルテレビジョン信号の受信のための広帯域テレビジョン信号受信機に関する。
【背景技術】
【０００２】
テレビジョン（ＴＶ）受信機またはビデオレコーダは、地上波放送テレビジョン信号、ケーブルテレビジョン信号または衛星放送テレビジョン信号を受信して、それらテレビジョン信号を表示または録画のためのビデオ信号に信号処理するテレビジョン信号受信機（テレビジョン受信機）を備える。テレビジョン信号は、アナログフォーマットまたはディジタルフォーマットで、多様な技術標準に準拠して、送信される。アナログテレビジョン送信には、ＮＴＳＣ、ＰＡＬ、ＳＥＣＡＭなどの技術標準が広く用いられている。一方、ディジタルテレビジョン送信には、ＤＶＢ（ディジタルビデオ放送）フォーマットおよびＡＴＳＣ（高度テレビジョン技術標準委員会）フォーマットが利用できる。互いに相異なるテレビジョン信号フォーマットおよび技術標準には相互に互換性がないので、テレビジョン受像機は、通常は、特定のアナログフォーマットまたはディジタルフォーマットに適合させ特定の技術標準に準拠して製造される。したがって、テレビジョン受像機およびビデオ録画装置は、特定の標準方式の採用された地域だけで使用できるその地域専用の装置である。
【０００３】
慣用のテレビジョン信号受信機の動作は二つの主要構成部分から成る。まず、受信機は、無線周波数（ＲＦ）帯の入来テレビジョン信号を受信してその入来テレビジョン信号を中間周波数（ＩＦ）信号に変換する。次に、そのＩＦ信号をビデオベースバンド信号および音声ベースバンド信号に変換する。これらのベースバンド信号を適切なビデオデコーダおよびオーディオデコーダに供給して表示用のビデオ信号（例えばＲＧＢ信号）または音声信号を生ずる。概括的にいうと、慣用のテレビジョン受信機は、入来ＲＦ信号を受信し、そのＲＦ信号を一回以上の周波数変換によりＩＦ信号に変換するチューナを備える。その周波数変換は単一段または二段スーパーへテロダイン変換によって行う。慣用のテレビジョン受信機では、中間周波数は、受信機の用いられる地域で定められている。現在世界で用いられている中間周波数は五つある。例えば、米国では、このＩＦは４１乃至４７ＭＨｚである。
【０００４】
慣用のテレビジョン受信機は、チャネルフィルタおよび上記ＩＦ信号をビデオベースバンド信号およびオーディオベースバンド信号に変換する復調器を併せ備える。チャネルフィルタは、通常ＳＡＷ（弾性表面波）フィルタの形で具体化される個別フィルタで構成される。上記ＳＡＷフィルタの形状は、受信すべきテレビジョン信号のフォーマット（アナログＴＶまたはディジタルＴＶ）およびテレビジョン技術標準（ＮＴＳＣ、ＰＡＬまたはＳＥＣＡＭ）に合わせて設計される。上記復調器は通常は専用部品であり所定のテレビジョン信号フォーマットおよびテレビジョン技術標準に合わせて設計される。アナログテレビジョン信号受信には、復調器としてＶＩＦ／ＳＩＦモジュールを用いる。このＶＩＦ／ＳＩＦモジュールは、ＣＶＢＳ（複合ビデオベースバンド信号）というビデオ出力およびＭＰＸまたはＡ２などのオーディオ出力を生ずる。ディジタルテレビジョン信号受信には、復調器として、ダウンコンバータ、Ａ−Ｄ変換器およびその他の復調動作用回路を通常含むディジタル復調器を用いる。このディジタル復調器はＭＰＥＧデータストリームの形でデータを出力する。
【０００５】
アナログテレビジョン信号およびディジタルテレビジョン信号の両方を受信するテレビジョン受信機は現在開発中である。これらデュアルフォーマットテレビジョン受信機は、通常は、アナログテレビジョン信号およびディジタルテレビジョン信号の信号処理に必要なハードウェアを二重に設けて構成する。例えば、各々を特定のフォーマットおよび特定の技術標準に合わせて設計した複数のチャネルフィルタのバンク、および各々が対応のチャネルフィルタからのフィルタ出力信号を受ける複数の復調器のバンクを用いてデュアルフォーマットテレビジョン受信機を構成することは既知である。所望のチャネルフィルタおよびそれに伴う復調器を含む所望の信号処理経路を選択するのにスイッチを用いることができる。Balaban名義の米国特許第６，３６９，８５７号に提案されている代わりの手法では、中間周波数信号をディジタル化し、そのディジタル化出力を二つの個別の信号処理回路、すなわちアナログテレビジョン信号用およびディジタルテレビジョン信号用の二つの信号処理回路で信号処理する。
【０００６】
【特許文献１】ＵＳ２００４／０６１８０４  Ａ１
【特許文献２】ＵＳＰ  ６  ３６９  ８５７
【特許文献３】ＥＰ  ０  ５１６  ２１６  Ａ
【特許文献４】ＵＳ２００２／０５７３６６  Ａ１
【発明の開示】
【発明が解決しようとする課題】
【０００７】
デュアルフォーマット信号受信を提供するテレビジョン受信機が必要になっている。また、そのようなデュアルフォーマットテレビジョン受信機を費用効率よく製造すること、および高品質のビデオおよびオーディオ出力を生ずるこの種のテレビジョン受像機を提供することが求められている。
【課題を解決するための手段】
【０００８】
この発明の一つの実施例によると、テレビジョン受信機は、周波数変換回路と、Ａ−Ｄ変換器と、シグナルプロセッサと、信号出力回路とを備える。周波数変換回路は入力ＲＦ信号を受信し、その入力ＲＦ信号を中間周波数（ＩＦ）信号に変換する。その入力ＲＦ信号は、いくつかのテレビジョン信号フォーマットの一つのフォーマットで情報を符号化したものである。Ａ−Ｄ変換器でそのＩＦ信号をサンプリングしてディジタル化出力を生ずる。シグナルプロセッサは、入力ＲＦ信号の信号フォーマットにしたがって上記ＩＦ信号ディジタル化出力を信号処理し、入力ＲＦ信号中の情報を表すディジタル出力信号を生ずる。最後に、信号出力回路はシグナルプロセッサから上記ディジタル出力を受けて、そのディジタル出力信号対応の一つ以上の信号を生ずる。
【０００９】
一つの実施例では、上記テレビジョン信号フォーマットには、アナログテレビジョンフォーマットおよびディジタルテレビジョンフォーマットがある。信号出力回路は、アナログテレビジョンフォーマット、ディジタルテレビジョンフォーマット、または両フォーマット対応の出力信号を生ずるように構成できる。もう一つの実施例では、テレビジョン受像機を単一チップの集積回路で形成する。
【００１０】
次に述べる詳細な説明および添付図面によりこの発明はよりよく理解されよう。
【発明の効果】
【００１１】
高性能の低コスト小型デュアルフォーマットテレビジョン受信機を提供できる。
【発明を実施するための最良の形態】
【００１２】
この発明の原理によると、アナログテレビジョン（ＴＶ）信号およびディジタルＴＶ信号を受信するデュアルフォーマットＴＶ受信機は、受信した入力ＲＦテレビジョン信号の信号処理に単一の信号処理回路を用いる。このデュアルフォーマットＴＶ受信機は、受信したＴＶ信号のアナログテレビジョンフォーマットまたはディジタルテレビジョンフォーマットを表す出力信号を生ずる。これら出力信号を復調器やデコーダに供給して、ベースバンド信号を生じ、さらに表示用または録画用のビデオ信号／オーディオ信号を生ずる。一つの実施例では、このデュアルフォーマットＴＶ受信機は、周波数変換回路（チューナ）、ディジタル化ＩＦ回路、ディジタルシグナルプロセッサ（ＤＳＰ）回路および信号出力回路を備える。一つの実施例では、このデュアルフォーマットＴＶ受信機は、アナログフォーマットで送信されてきたＴＶ信号のビデオベースバンド信号である第１の出力信号と、アナログフォーマットで送信されてきたＴＶ信号のオーディオベースバンド信号である第２の出力信号と、ディジタルフォーマットで送信されてきたＴＶ信号のディジタルテレビジョン（ＤＴＶ）低周波ＩＦ信号である第３の出力信号とを生ずる。
【００１３】
この発明のデュアルフォーマットＴＶ受信機は慣用のＴＶ受信機では実現できなかった多数の利点を備える。まず、このＴＶ受信機は信号全部をディジタル処理することによって、ＳＡＷフィルタなどのアナログ部品を不要にする。すなわち、この発明のＴＶ受信機は一つのＩＣに集積化することが容易であり、受信機の小型化および製造コストの削減を達成できる。一つの実施例では、このデュアルフォーマットＴＶ受信機をモノリシックＩＣの形に集積化する。すなわち、そのＴＶ受信機ではＴＶ受信システムの部品の大部分を単一のＩＣに集積化する。したがって、この発明のデュアルフォーマットＴＶ受信機を含むＴＶ受信システムは最少数の部品で構成でき、ＴＶ受信システム全体の小型化および製造コスト削減を達成する。この発明のデュアルフォーマットＴＶ受信機のもう一つの利点は、受信機内のディジタルシグナルプロセッサ回路が、アナログフォーマットのＴＶ信号の処理およびディジタルフォーマットのＴＶ信号の処理の両方で単一の信号処理経路を用いていることである。そのために、部品を二重に備える必要が完全に除かれている。最後に、このディジタルシグナルプロセッサ回路は、マルチスタンダード受信をサポートするように再構成するのが容易であり、したがって、この発明のＴＶ受信機は広い地域での使用を可能にする。
【００１４】
図１はこの発明の一つの実施例によるデュアルフォーマットＴＶ受信機の概略図である。図１を参照すると、デュアルフォーマットＴＶ受信機１００は、入来ＲＦ信号を受ける信号入力端子１０２と、アナログフォーマットで送信されてきたＴＶ信号対応の第１の出力信号を供給する第１の出力端子１０４と、アナログフォーマットで送信されてきたＴＶ信号対応の第２の出力信号を供給する第２の出力端子１０５と、ディジタルフォーマットで送信されてきたＴＶ信号対応の第３の出力信号を供給する第３の出力端子１０６とを備える。受信機１００の上記信号入力端子および上記出力端子は、用途に応じてシングルエンデッド端子とすることもでき、差動型端子とすることもできる。
【００１５】
この実施例では、信号入力端子１０２はシングルエンデッド端子である。代わりの実施例では、差動型入力端子も採用できる。信号入力端子１０２を差動型入力端子で構成した場合は、受信機１００は、当業者に周知のとおり、差動入力信号をシングルエンデッド信号に変換するための平衡不平衡変成器（バラン）をさらに備える。
【００１６】
さらに、この実施例では、第１および第２の出力端子１０４および１０５をシングルエンデッド出力端子で構成し、第３の出力端子１０６を差動型出力端子で構成してある。したがって、第３の出力端子１０６は差動型信号を供給する二つの信号ポートを含む。この明細書では差動型出力端子を「出力端子」と呼ぶこともあるが、差動型出力端子は実際には二つの信号ポートを備える。後述のとおり、受信機１００の出力端子の各々は、差動型出力端子として、またはシングルエンデッド出力端子として構成することができ、また、差動出力信号供給用に一つのシングルエンデッド出力端子または二つのシングルエンデッド出力端子を用いることもできる。また、受信機１００は一つ以上の出力端子にアナログフォーマットまたはディジタルフォーマットで出力信号を供給することができる。すなわち、アナログＴＶ信号に対してビデオ信号およびオーディオ信号対応の出力信号を、アナログフォーマットまたはディジタルフォーマットで、シングルエンデッド出力端子または差動型出力端子を用いて供給できる。同様に、ディジタルＴＶ信号に対してビデオ信号およびオーディオ信号対応の出力信号を、アナログフォーマットまたはディジタルフォーマットで、シングルエンデッド出力端子または差動型出力端子を用いて供給できる。
【００１７】
デュアルフォーマットＴＶ受信機１００は入来ＲＦ信号を信号処理して、その入力ＲＦ信号のテレビジョンフォーマットに応じた出力信号を生ずる。入来ＲＦ信号がアナログテレビジョンフォーマットである場合は、受信機１００は、表示用のビデオ信号およびオーディオ信号を生ずるようにデコードできる第１および第２の出力信号を生ずる。入来ＲＦ信号がディジタルテレビジョンフォーマットである場合は、受信機１００は、表示用のビデオ信号およびオーディオ信号を生ずるように復調およびデコードができる第３の出力信号を生ずる。一つの実施例では、デュアルフォーマットＴＶ受信機１００をモノリシックＩＣの形に構成する。この発明のＴＶ受信機１００を具体化した集積回路は、電源ピンおよび接地ピンを除けば、５個程度のピンを備えるだけである。後述のとおり、上記以外の他の実施例によるデュアルフォーマットＴＶ受信機では、ＴＶ受信機１００を具体化した集積回路は、電源ピンおよび接地ピンを除けば、３個程度のピンを備えるだけである。
【００１８】
図１を参照すると、受信機１００は周波数変換回路１１０（またはチューナ回路１１０）、ＩＦディジタル化回路１２０，ディジタルシグナルプロセッサ（ＤＳＰ）回路１３０および信号出力回路１４０を備える。周波数変換回路１１０は信号入力端子１０２に入力ＲＦ信号を受ける。この入力ＲＦ信号は地上波放送から、またはケーブル送信から受けることができる。周波数変換回路１１０は入力ＲＦ信号を一段または二段周波数変換により中間周波数（ＩＦ）信号に変換するように動作する。図１では入力ＲＦ信号を帯域フィルタであるＲＦ可変周波数フィルタ１１１にまず供給するように示してある。このフィルタ処理ずみの信号を可変利得低雑音増幅器１１２に加える。増幅器１１２の出力信号を「ノッチフィルタ」として周知の帯域フィルタ１１３に供給する。帯域フィルタ１１３の出力信号を、位相同期ループ１１５の制御を受けるミキサ１１４に加える。ミキサ１１４はフィルタ処理ずみの入力ＲＦ信号を一段または二段以上の周波数変換により所望の周波数帯に周波数変換してＩＦ信号を生ずるように動作する。周波数変換回路１１０は、所定の中間周波数を有するＩＦ信号を端子１１６に生ずる。
【００１９】
この発明によると、周波数変換回路（チューナ）１１０は任意の中間周波数を有するＩＦ信号を発生するように設計できる。チューナ１１０の用いるＩＦは世界的な技術標準で特定された中間周波数でもよく、また別の周波数でもよい。また、受信機１００は信号処理に単一のディジタルシグナルプロセッサを用いているので、チューナ１１０は任意の技術標準でアナログＴＶ信号またはディジタルＴＶ信号を受信するのに同じＩＦを用いることができる。一体化チューナにおける中間周波数（ＩＦ）の値は設計上の選択に係る事項である。一つの実施例では、ＩＦを２０ＭＨｚ以上に設定する。
【００２０】
周波数変換回路１１０の発生した所定の中間周波数のＩＦ信号を受信機１００のＩＦ増幅ディジタル化回路１２０に加える。この回路１２０は、帯域フィルタ１２１と、可変利得増幅器１２２と、Ａ−Ｄ変換器（ＡＤＣ）１２３とを備える。ＩＦ信号を帯域フィルタ１２１でフィルタ処理し、次に、そのフィルタ処理ずみのＩＦ信号をＡＤＣ１２３のダイナミックレンジの調整のために増幅器１２２により増幅する。ＡＤＣ１２３はアナログＩＦ信号をディジタル化して、端子１２４にディジタル化ずみのＩＦ信号を生ずる。受信機１００のこのサンプリング周波数およびＤＳＰ回路１３０における信号処理を適切に設定することによって、受信機１００は任意のフォーマット（アナログかディジタル）および任意の技術標準（例えば、ＮＴＳＣ、ＰＡＬ、ＳＥＣＡＭ、ＤＶＢおよびＡＴＳＣ）のテレビジョン信号を処理できる。
【００２１】
この実施例では、ＡＤＣ１２３は１０ビット変換器でありサンプリング速度は１秒あたり４０メガサンプルである。他の実施例ではＡＤＣ１２３の解像度を別の値にすることはできるが、１サンプルあたり９ビット以上の解像度で十分である。ＡＤＣ１２３におけるサンプリング周波数はＩＦ信号の中間周波数に基づいて選択するが、その中間周波数の少なくとも２倍に設定する必要がある。ＡＤＣ１２３のサンプリング周波数は電圧制御発振器（ＡＦＣ）および位相同期ループ（図１には示してない）の利用により調整できる。代わりの実施例では、ＡＤＣ１２３のサンプリング周波数の調整のために同調制御回路（図示してない）を備えることもできる。その同調制御回路は、ユーザからの手動制御など受信機１００の外部からの制御信号を受けることができる。また、その同調制御回路は、ＩＦ信号の中間周波数を自動検出して、ＡＤＣの動作周波数をそれに応じて調整できる。
【００２２】
ＩＦ信号をフィルタ処理およびディジタル化した後、そのディジタル化ずみのＩＦ信号をＤＳＰ回路１３０の中のディジタルシグナルプロセッサ（ＤＳＰ）１３１で信号処理する。ＤＳＰ１３１は入来ＲＦ信号の符号化に用いられたテレビジョンフォーマットおよび技術標準に応じて上記ディジタル化ずみのＩＦ信号を信号処理する。この実施例では、ＤＳＰ回路１３０は、いくつかのアナログテレビジョン技術標準およびいくつかのディジタルテレビジョン技術標準のうちの任意のものを選択するフォーマット／技術標準選択回路１３３を含む。ＤＳＰ１３１はインパルスレスポンスなどの適切なフィルタ関数を、この選択回路１３３の状態に応じて、端子１２４へのディジタル化ずみＩＦ信号に適用する。一つの実施例では、フィルタ関数の計数をＤＳＰ１３０の中のメモリ１３２の参照テーブルに蓄積しておく。ＤＳＰ１３１はメモリ１３２から係数を読み出して入来ディジタル信号に適用する。
【００２３】
ＤＳＰ１３１はプログラマブルで再構成（リコンフィギュア）可能なプロセッサである。この実施例では、ＤＳＰ１３１は選ばれたＴＶ技術標準に基づいて再構成される有限インパルスレスポンス（ＦＩＲ）フィルタを具体化する。また、この実施例では、ＤＳＰ１３１は計算時間の短縮のために二つの演算ユニットを備える。より詳細に述べると、周波数領域の実数部および虚数部のフィルタ処理動作を並行して行う。ＤＳＰ１３１に演算ユニット一つだけを備える実施例もある。
【００２４】
フォーマット／技術標準選択回路１３３の具体化には多様な手法がある。所望のフォーマットおよびＴＶ技術標準の選択は受信システムのユーザが手動で行うことができ、また受信機１００の中に設けた自動検出手段により自動的に行うこともできる。この実施例では、テレビジョン信号フォーマットおよび技術標準を特定表示する搬送波信号が第１および第２の出力信号の中に含まれているか否かを検出することによって上記自動検出を行う。例えば、アナログテレビジョン信号はアナログ映像搬送波信号の有無により検出し、ディジタルテレビジョン信号はパイロット搬送波の有無によって検出する。受信機１００の中に検出回路を設けて、入力信号の符号化にどのテレビジョンフォーマットおよびどの技術標準が用いられているかを表す検出信号をフォーマット／技術標準選択回路１３３に供給するようにする。他の実施例では、互いに異なる技術標準の選択に上記以外の手段を用いることもできる。
【００２５】
入力ＲＦ信号がアナログＴＶ信号である場合は、ＤＳＰ１３１はビデオフィルタ処理機能およびオーディオフィルタ機能をディジタル化信号に適用して、ビデオ信号をオーディオ信号から分離する。ビデオフィルタおよびオーディオフィルタはＦＩＲフィルタとして実動化できる。また、ＤＳＰ１３１は、入力信号の中の干渉成分を消去するゴースト消去など上記以外のフィルタ機能も実動化できる。その場合のフィルタ応答特性はチャネル応答の測定値から誘導する。この実施例では、ＤＳＰ１３１は、信号処理ずみのＩＦ信号を端子１３４にビデオベースバンド信号として、また信号処理ずみのＩＦ信号を端子１３５にオーディオベースバンド（音声ＩＦ）信号としてそれぞれ生ずる。
【００２６】
入力ＲＦ信号がディジタルＴＶ信号である場合は、ＤＳＰ１３１はフィルタ処理機能をディジタル化信号に適用する。このフィルタ機能はＦＩＲフィルタとして実動化できる。一つの例として、ＡＴＳＣ−ＶＳＢ技術標準の例が挙げられる。その場合は、フィルタ応答特性はロールオフ０．１１５２で累乗根余弦として特定される（ＡＴＳＣ  Ａ−５３規格参照）。また、エコー消去（マルチパス）用の等化器など上記以外のフィルタ機能もＤＳＰ１３１で実動化できる。その場合は、フィルタ応答特性をチャネル応答の測定値から誘導する。この実施例では、ＤＳＰ１３１は、ＩＦ信号を低周波ＩＦ信号に変換する変換手段としても作用する。
【００２７】
端子１３４および１３５に得られる信号処理ずみのＩＦ信号は信号出力回路１４０に供給して所望の出力信号に変換する。この発明によれば、信号出力回路１４０は互いに異なるフォーマットの出力信号を生ずるのに多様な構成をとることができる。信号出力回路１４０の構成は、受信機１００の所望のピン数および出力信号の所望のフォーマットなどの要因に基づいて選択できる。信号出力回路１４０の利点の一つは、アナログＴＶフォーマットおよびディジタルＴＶフォーマットの両方で同時並行的に出力信号を生ずるように構成できることである。すなわち、アナログＴＶ信号フォーマットで受けたＴＶ信号に対して出力信号の第１の組を、ディジタルＴＶ信号フォーマットで受けたＴＶ信号に対して出力信号の第２の組をそれぞれ生じ、したがって、アナログＴＶ信号フォーマットおよびディジタルＴＶ信号フォーマットの両方についてＴＶ信号を同時に表示できることである。慣用のＴＶ受信機は、処理すべき二つのＴＶ信号の一方だけを選択するように入力切換動作または出力切換動作を行うので、アナログＴＶ信号およびディジタルＴＶ信号の両方を同時に表示することはできない。
【００２８】
図１には受信機１００に含め得る信号出力回路の一つの実施例を示している。それ以外の信号出力回路の実施例を図２に示す。まず図１を参照すると、信号出力回路１４０は低域フィルタ１４２に接続したＤ−Ａ変換器（ＤＡＣ）１４１を含む。ＤＳＰ１３１から端子１３４への信号処理ずみのディジタル信号をＤＡＣ１４１に加えてアナログフォーマットに再変換する。このアナログ信号を低域フィルタ１４２によりフィルタ処理して平滑化する。フィルタ処理ずみのアナログ信号を第１のドライバ回路１４３に供給してアナログＴＶフォーマットに対する第３の出力信号を出力端子１０６に生ずる。一方、ＤＳＰ１３１からの端子１３５経由の信号処理ずみのディジタルオーディオ信号はＤＡＣ１４５に加える。ＤＡＣ１４５の出力信号は第３のドライバ回路１４６に供給してアナログＴＶフォーマットに対する第２の出力信号を出力端子１０５に生ずる。この実施例では、ドライバ回路１４３および１４６はシングルエンデッドドライバ回路で構成してあるが、ドライバ回路１４４は差動出力ドライバ回路で構成してある。一つの実施例では、ドライバ回路１４４は低電圧差動シグナリングドライバ回路で構成する。
【００２９】
上述の構成を備えているので、信号出力回路１４０はアナログＴＶ信号を出力端子１０４および１０５に生ずるとともに、差動出力端子（信号ポート２個）である出力端子１０６にディジタルＴＶ信号を生ずる。この実施例では、第１の出力信号はアナログＴＶ信号についての複合ビデオベースバンド信号であり、第２の出力信号はアナログＴＶ信号についてのオーディオベースバンド信号である。第３の出力信号はディジタルＴＶ信号についてのＤＴＶ低周波ＩＦ信号である。
【００３０】
次に、信号出力回路の代替の実施例を示す図２を参照する。第１の代替実施例の信号出力回路３４０はディジタル化ずみのＩＦ信号を受けるＤ−Ａ変換器（ＤＡＣ）３４１を備える。ＤＡＣ３４１の出力端子は第１のドライバ回路３４３に直接接続して、第１の出力信号、すなわちアナログＴＶ信号についてのビデオベースバンド信号（ＣＶＢＳ）を供給し、また第２のドライバ回路３４４に直接接続して、ディジタルＴＶ信号についてのＤＴＶ低域ＩＦ信号を生ずる。信号出力回路３４０は、図１の信号出力回路１４０に用いてある低域フィルタを不要にしている。ＤＡＣ３４１のサンプリング周波数を高くすることによって、上記低域フィルタは不要にし、信号出力回路３４０を上記信号出力回路１４０に比べて単純化することができる。信号出力回路３４０では、第３のドライバ回路３４６に接続したＤＡＣ３４５がアナログＴＶ信号についてのオーディオベースバンド信号を生ずる。ドライバ回路３４３および３４６はシングルエンデッドドライバであり、ドライバ回路３４４は差動出力ドライバである。
【００３１】
第２の代替実施例の信号出力回路４４０はディジタル化ずみのＩＦ信号を受けるＤ−Ａ変換器４４１を備える。ＤＡＣ４４１の出力端子を第１のドライバ回路４４３に直結する。ＤＡＣ４４１と第１のドライバ回路４４３とでアナログＴＶ信号についてのビデオベースバンド信号（ＣＶＢＳ）の出力信号経路を形成する。ＤＡＣ４４５とドライバ回路４４６とでアナログＴＶ信号についてのオーディオベースバンド信号の出力信号経路を形成する。ディジタルＴＶ信号については、信号出力回路４４０はＤＳＰ回路からのディジタル化ＩＦ信号をシリアルディジタルデータストリームの形に変換するシリアル化装置４４２を備える。このようにして、ディジタルＴＶ信号についてのディジタル信号をシリアルディジタルインタフェース経由で復号器に供給する。この信号出力回路４４０では、シリアルディジタルデータストリームを差動出力ドライバである第２のドライバ回路に供給する。一つの実施例では、ドライバ回路４４４は、ＤＴＶ低周波ＩＦ信号を低電圧差動信号として供給する低電圧差動シグナリング（ＬＶＤＳ）ドライバ回路で構成する。
【００３２】
第３の代替実施例である信号出力回路５４０は第１のシリアル化装置５４１および第２のシリアル化装置５４２を含み、信号出力回路５４０の出力ビデオ信号がシリアルディジタルインタフェース経由で供給されるようにする。この実施例では、第１のシリアル化装置５４１はディジタル化ずみＩＦ信号を受けてシリアルデータストリームを第１のドライバ回路５４３に供給する。ドライバ回路５４３は差動出力ドライバであり、シリアルディジタルデータストリームを出力端子５０４から送出する。シリアル化装置５４２およびドライバ回路５４４は、シリアルデータストリームを出力端子５０６から送出する並行データ経路を形成する。出力端子５０４からのシリアルディジタルデータは、アナログＴＶ信号対応のビデオ信号に復号化するデコーダに供給できる。このデコーダ回路にＡ−Ｄ変換器を備えて、シリアルディジタルデータをアナログ信号に変換するようにすることもできる。出力端子５０６からのシリアルディジタルデータはディジタルＴＶ信号の復調および復号化のための復調器およびデコーダに供給する。ＤＡＣ５４５およびドライバ５４６はアナログＴＶ信号のオーディオベースバンドの出力信号経路を構成する。
【００３３】
上述の信号出力回路は、アナログＴＶ信号およびディジタルＴＶ信号について互いに別々の出力信号を生ずるように構成してある。第４の代替実施例である信号出力回路６４０は、信号出力端子６０４にシリアルディジタルデータストリームを送出するドライバ回路６４２に直結した単一のシリアル化装置６４１を含む。この実施例では、ドライバ回路６４２は差動出力ドライバであり、出力端子６０４は二つの信号出力ポートを含む差動出力端子である。ＤＡＣ６４５およびドライバ回路６４６はアナログＴＶ信号対応のオーディオベースバンド信号の出力信号経路を構成する。
【００３４】
この信号出力回路６４０は単一の差動フォーマットの出力信号を出力端子６０７に生ずる。この単一のシリアルディジタルデータストリームをディジタルＴＶ信号復調回路またはアナログＴＶ信号デコーダ回路に供給できる。代わりに、この回路６４０からの単一のシリアルディジタルデータストリームを、上記復調器回路およびデコーダ回路の両方を含む集積回路に供給することもできる。その場合は、上記単一の信号出力端子６０７を復調器／デコーダ集積回路の単一の信号入力端子に供給して、この集積回路からアナログＴＶ信号の出力信号およびディジタルＴＶ信号の出力信号を生ずるようにすることができる。
【００３５】
図２に示した上述の実施例において、シリアル化装置は任意に構成できる。例えば、このシリアル化装置は非同期型でも同期型でも差し支えない。このシリアル化装置はＡＮＳＩ／ＳＭＰＴＥ  ２５９Ｍ、ＩＴＵ−Ｒ（ＣＣＩＴ）６０１、６５６、ＤＶＢ−ＡＳＩ（ＥＮ５００８３−９）など任意の周知のシリアルディジタルインタフェース技術標準に準拠して具体化できる。
【００３６】
次に、第５の代替実施例である信号出力回路７４０はディジタル化ずみＩＦ信号を受けるＤＡＣ７４１を備える。ＤＡＣ７４１は低域フィルタ７４２に接続してある。フィルタ処理ずみのアナログ出力信号を第１のドライバ回路７４３および第２のドライバ回路７４４に加える。低域フィルタ７４２はオプションであり、ＤＡＣ７４１のサンプリング周波数が高い場合は不要である。ＤＡＣ７４５および第３のドライバ回路７４６はアナログＴＶ信号のオーディオベースバンド信号の出力信号経路を構成する。この回路構成においては、第１，第２および第３のドライバ回路の出力を第１の出力端子７０８および第２の出力端子７０９に一部共通に接続する。出力端子７０８および７０９への共通接続のために、ドライバ回路７４３，７４４および７４６は三状態ドライバ回路となり、これらドライバ回路の出力が一つずつ出力端子に接続されるように選択的にオフ状態に切換え可能である。このようにして、デュアルフォーマットＴＶ受信機のピン数を減らす一方、受信機はアナログＴＶフォーマットでもディジタルＴＶフォーマットでもビデオ信号／オーディオ信号を発生できるようにしている。より詳しくいうと、シングルエンデッドドライバである第１のドライバ回路７４３は第１の出力端子７０８にビデオベースバンド信号（ＣＶＢＳ）を送出する。一方、シングルエンデッドドライバである第３のドライバ回路７４６は第２の出力端子７０９にアナログＴＶ信号のオーディオベースバンド信号を送出する。アナログのビデオＴＶ信号およびオーディオＴＶ信号を表示する場合はドライバ回路７４４をオフにする。一方、差動出力ドライバである第２のドライバ回路７４４は差動ＤＴＶ低周波ＩＦ信号を第１および第２の出力端子７０８および７０９に送出する。ディジタルＴＶ信号を表示する場合は、ドライバ回路７４３および７４６をオフにする。
【００３７】
上述の複数の実施例の信号出力回路はＤＡＣおよびシングルエンデッドドライバ回路によりアナログＴＶ信号のオーディオ出力信号を発生する。この回路構成は、ＤＡＣにおけるサンプリング速度が変換ずみのアナログ信号のフィルタ処理を不要にするほど十分に高い場合に適している。それ以外の実施例では、ＤＡＣとシングルエンデッドドライバ回路との間に低域フィルタを挿入できる。その場合は、ＤＡＣのサンプリング速度は低くできる。
【００３８】
この発明のデュアルフォーマットテレビジョン受信機の著しい特徴は、送信されてきたＴＶ信号のフォーマットおよび技術標準に関わりなく、受信したＴＶ信号の信号処理のためのディジタル信号処理経路を一つだけ備えることである。また、受信機がアナログＴＶ信号およびディジタルＴＶ信号に対する出力信号を同時並行に生ずることである。すなわち、この発明の受信機は、表示用のアナログＴＶ信号およびディジタルＴＶ信号を生ずるデュアルフォーマットＴＶ受信システムの構築を可能にする。この受信機は、アナログ／ディジタルＴＶ受信機のチューナ機能および信号処理機能に対して単一チップソリューションを提供するモノリシック集積回路の形で実現できる。
【００３９】
図３Ａはこの発明の一つの実施例であるデュアルフォーマットＴＶ受信機１００を用いたデュアルフォーマットＴＶ受信システムのブロック図である。図３Ａを参照すると、このデュアルフォーマットＴＶ受信システム２００は入来ＲＦ信号の受信および信号処理のためのデュアルフォーマットＴＶ受信機１００を含む。図示の構成において受信機１００は信号出力回路１４０（図１）、３４０、４４０または５４０（図２）を含む。すなわち、受信機１００はアナログテレビジョンのビデオベースバンド信号を生ずるとともに、ディジタルテレビジョンのオーディオベースバンド信号（オーディオＩＦ）およびＤＴＶ低周波ＩＦ信号を生ずる。ＴＶ受信システム２００は表示用の映像信号およびオーディオ再生信号を生ずるためのバックエンド回路を含む。
【００４０】
この例では受信機１００からのビデオベースバンド信号（ＣＶＢＳ）をデコーダ回路２０２に加える。デコーダ回路２０２はＰＡＬ／ＳＥＣＡＭ／ＮＴＳＣデコーダ回路で構成する。このデコーダ回路２０２はＴＶモニタ装置接続用の出力端子２０４にビデオ出力信号を生ずる。受信機１００からのオーディオＩＦ信号は、ＴＶモニタ装置接続用の出力端子２１４にオーディオ出力信号を生ずる。また、ＤＴＶ低周波ＩＦ信号は復調用に復調回路２０６に供給する。ディジタルＴＶ信号は通常はＶＳＢ、ＱＡＭまたはＣＯＦＤＭスキームで変調されている。復調回路２０６はＤＴＶ低周波ＩＦ信号を復調するように動作して、ＭＰＥＧデータストリームを出力信号として生ずる。復調回路２０６からのＭＰＥＧデータストリームをＭＰＥＧデコーダ部２０８に加えて、出力端子２１０へのオーディオ信号およびビデオ信号にデコードする。これらビデオ信号およびオーディオ信号をＴＶモニタ装置に加えて表示および音声再生を行う。
【００４１】
図３Ａにはこの発明のデュアルフォーマットＴＶ受信機を一体化したデュアルフォーマットＴＶ受信システムを示したが、これ以外のＴＶ受信システムの構成も可能である。より詳しく述べると、ＴＶ受信システムの構成はＴＶ受信機１００の用いる信号出力回路の構成に左右される。図３Ｂはこの発明の代替実施例であるＴＶ受信機１００を用いたデュアルフォーマットＴＶ受信システムのブロック図である。
【００４２】
図３Ｂを参照すると、ＴＶ受信システム２５０は信号出力回路７４０（図２）を備える受信機１００を含む。すなわち、この受信機１００は第１および第２の出力端子７０８および７０９から成る出力端子二つだけを備える。これら二つの出力端子には、アナログＴＶ信号または差動ＤＴＶ低周波ＩＦ信号に対してビデオベースバンド信号およびオーディオベースバンド信号を選択的に生ずる。第１の出力端子７０８はアナログＴＶ信号復号化のためのデコーダ回路２５２に接続するとともに、ディジタルＴＶ信号復調のための復調回路２５６に接続する。復調回路２５６はさらにＭＰＥＧデコーダ回路２５８に接続してＭＰＥＧデータストリームを復号化する。第２の出力端子７０９はアナログＴＶのオーディオＩＦ信号の復号化のための音声デコーダ回路２６２に接続するとともに、上記復調回路２５６にも接続する。受信機１００がディジタルＴＶ信号を信号処理している場合は、上記第１および第２の出力端子は、ＤＴＶ低周波ＩＦ信号を表す差動出力信号を生ずる差動出力端子として作用する。このＴＶ受信システム２５０はアナログ信号表示もディジタルＴＶ信号表示もできるように動作させることができる。
【００４３】
この発明の特定の実施例を上に説明してきたが、この説明はこの発明の限定を意図するものではない。この発明の範囲内で多様な改変および変形が可能である。例えば、図２にはこの発明のデュアルフォーマットＴＶ受信機の信号出力回路の種々の例を示したが、信号出力回路には上記以外の構成も可能であり、したがって、図２は信号出力回路の構成を図示したものに限定することを意図するものではない。上述のとおり、信号出力回路は出力信号をアナログフォーマットでもディジタルフォーマットでも生ずることができ、信号出力回路の出力端子はシングルエンデッド出力端子でも差動出力端子でも構成できる。この発明は別掲の特許請求の範囲の各請求のみによって画定される。
【産業上の利用可能性】
【００４４】
ディジタルＴＶ放送およびアナログＴＶ放送の両方を受信できる高性能小型デュアルフォーマットＴＶ受信機を低コストで提供でき、この種のＴＶ受信機の普及に寄与する。
【図面の簡単な説明】
【００４５】
【図１】この発明の一つの実施例によるデュアルフォーマットテレビジョン受信機の概略図。
【図２】図１のデュアルフォーマットテレビジョン受信機に含め得る信号出力回路の他の例のブロック図。
【図３Ａ】この発明の一つの実施例による図１のテレビジョン受信機を用いたデュアルフォーマットテレビジョン受信システムのブロック図。
【図３Ｂ】この発明のもう一つの実施例による図１のテレビジョン受信機を用いたデュアルフォーマットテレビジョン受信システムのブロック図。
【符号の説明】
【００４６】
１００            デュアルフォーマットＴＶ受信機
１１０            周波数変換回路（チューナ）
１２０            ＩＦ増幅ディジタル化回路
１３０            ディジタルシグナルプロセッサ（ＤＳＰ）
１４０，３４０，４４０，５４０，６４０，７４０    信号出力回路
１１１            可変周波数フィルタ
１１２            可変利得低雑音増幅器
１１３            帯域フィルタ
１１４            周波数ミキサ
１２１            帯域フィルタ
１２２            可変利得増幅器
１２３            Ａ−Ｄ変換器
１３１            ディジタルシグナルプロセッサ
１４１，１４５    Ｄ−Ａ変換器
１４２            低域フィルタ
１４３，１４４，１４６    ドライバ回路
２００，２５０    デュアルフォーマットＴＶ受信システム
２０２，２５２    デコーダ回路
２０６，２５６    復調回路
２０８，２５８    ＭＰＥＧデコーダ
２１２，２６２    オーディオデコーダ回路
【図１】
2008505535.tif 000003
【図２】
2008505535.tif 000004
【図３Ａ】
2008505535.tif 000005
【図３Ｂ】
2008505535.tif 000006
【国際調査報告】
2008505535.tif 000007
2008505535.tif 000008
2008505535.tif 000009